(57)【特許請求の範囲】
【請求項１】
放射性ストロンチウムに加えて放射性イットリウムのラジオコロイドを含む汚染水の処理方法であって、
汚染水に含まれる放射性イットリウムのラジオコロイドを活性炭により吸着処理する工程と、
上記活性炭吸着処理工程後に汚染水に含まれる放射性ストロンチウムをストロンチウム用吸着剤により吸着処理する工程と
を備えることを特徴とする汚染水の処理方法。
【請求項２】
上記活性炭吸着処理工程後に上記ストロンチウム用吸着剤吸着処理工程を行う請求項１に記載の汚染水の処理方法。
【請求項３】
上記活性炭吸着処理工程及びストロンチウム用吸着剤吸着処理工程前に、汚染水をフィルターで浄化処理する工程をさらに備える請求項１又は請求項２に記載の汚染水の処理方法。
【請求項４】
上記活性炭がやし殻活性炭である請求項１、請求項２又は請求項３に記載の汚染水の処理方法。
【請求項５】
上記活性炭のＢＥＴ比表面積が９００ｍ２／ｇ以上である請求項１から請求項４のいずれか１項に記載の汚染水の処理方法。
【請求項６】
上記ストロンチウム用吸着剤がゼオライトである請求項１から請求項５のいずれか１項に記載の汚染水の処理方法。
【請求項７】
上記放射性イットリウムのラジオコロイドを吸着する活性炭を充填した活性炭吸着塔と、上記放射性ストロンチウムを吸着するストロンチウム用吸着剤を充填したストロンチウム吸着塔とを備える汚染水処理装置によって汚染水を処理する請求項１から請求項６に記載の汚染水の処理方法。
【請求項８】
上記汚染水処理装置が、上記活性炭吸着塔及びストロンチウム吸着塔を搭載する移動可能な架台をさらに備える請求項７に記載の汚染水の処理方法。
【請求項９】
上記汚染水処理装置が、複数の上記活性炭吸着塔を備え、上記複数の活性炭吸着塔が汚染水を流通可能に直列に接続され、最上流の活性炭吸着塔を除外及び交換後に交換後の新しい活性炭吸着塔を最下流に接続可能である請求項７又は請求項８に記載の汚染水の処理方法。
【請求項１０】
上記汚染水処理装置が、複数の上記ストロンチウム吸着塔を備え、上記複数のストロンチウム吸着塔が汚染水を流通可能に直列に接続され、最上流のストロンチウム吸着塔を除外及び交換後に交換後の新しいストロンチウム吸着塔を最下流に接続可能である請求項７、請求項８又は請求項９に記載の汚染水の処理方法。
【発明の詳細な説明】
【技術分野】
【０００１】
本発明は汚染水の処理方法及び汚染水処理装置に関する。
【背景技術】
【０００２】
放射性セシウム、放射性ストロンチウム等の放射性物質を含有する汚染水（廃水、事故原発炉心冷却用循環水等を含む）は、環境破壊を防止するために放射性元素を除去しなければ排出することが許されない。
【０００３】
放射性物質含有汚染水の従来の処理方法は、ＳＡＲＲＹ（単純型汚染水処理システム：Ｓｉｍｐｌｉｆｉｅｄ  Ａｃｔｉｖｅ  Ｗａｔｅｒ  Ｒｅｔｒｉｅｖｅ  ａｎｄ  Ｒｅｃｏｖｅｒｙ  Ｓｙｓｔｅｍ）等によって放射性セシウム及び非放射性同位体を除去する工程と、鉄共沈処理によって有機物及びα核種（アルファ崩壊する核物質）を除去する工程と、炭酸塩沈殿処理によりカルシウム、マグネシウム等のアルカリ土類金属を除去する工程と、吸着剤を充填した吸着塔を使用する吸着処理により放射性ストロンチウム、放射性ヨウ素、放射性セシウム、放射性アンチモン等の残留する放射性元素を除去する工程とを備える。
【０００４】
ところで、放射性元素の中でもストロンチウムは、アルカリ土類金属に分類され、カルシウム等のストロンチウム以外のアルカリ土類金属とよく似た性質を有する。このため、炭酸塩沈殿処理ではストロンチウムもストロンチウム以外のアルカリ土類金属と共に沈殿するので、分離した沈殿物には放射性ストロンチウムも含まれる。従って、鉄共沈処理により分離される水酸化鉄スラリー及び炭酸塩沈殿処理により分離される炭酸塩スラリーは、いずれも放射性元素を含んでいるため、所定の容器に封入して放射性廃棄物として最終処分する必要がある。この結果、従来の放射性物質含有汚染水の処理方法では、多量の放射性廃棄物が排出される。
【０００５】
ここで、上記のようなスラリー状の放射性廃棄物を低減するために、炭酸塩沈殿処理を行うことなく、ストロンチウム（非放射性同位体を含む）を選択的に吸着するストロンチウム用吸着剤を使用して放射性ストロンチウムを除去することも提案されている（特許第５０７３１１１号公報参照）。
【０００６】
また、他にも、汚染水中の放射性ストロンチウム等を吸着剤により吸着除去する方法が提案されている（特開２００２−２６７７９５号公報参照）。しかしながら、事故原発において、タンクに貯留されている汚染水から吸着剤としてゼオライトを用いて放射性ストロンチウムの除去を試みたところ、吸着剤がその吸着能力を十分に発揮できないことが分かった。
【先行技術文献】
【特許文献】
【０００７】
【特許文献１】特許第５０７３１１１号公報
【特許文献２】特開２００２−２６７７９５号公報
【発明の概要】
【発明が解決しようとする課題】
【０００８】
上記不都合に鑑みて、本発明は、放射性ストロンチウムを含む汚染水から放射性物質を効率よく除去できる汚染水の処理方法及び汚染水処理装置を提供することを課題とする。
【課題を解決するための手段】
【０００９】
上記課題を解決するために、本発明者らは、汚染水を詳細に分析した結果、タンクに貯留されている汚染水中にはラジオコロイドが発生しており、このラジオコロイドをストロンチウム用吸着剤によって十分に吸着除去できないことを見出した。そこで、本発明者らは、ラジオコロイドを含む汚染水の処理方法及びその汚染水の処理方法を行い得る汚染水処理装置について鋭意研究を重ね、以下の本発明を完成させた。
【００１０】
上記課題を解決するためになされた発明は、放射性ストロンチウムを含む汚染水の処理方法であって、汚染水を活性炭により吸着処理する工程と、汚染水をストロンチウム用吸着剤により吸着処理する工程とを備えることを特徴とする汚染水の処理方法である。
【００１１】
当該汚染水の処理方法は、汚染水を活性炭により吸着処理するので、ストロンチウム用吸着剤で吸着処理できないストロンチウム以外の放射性物質、例えばラジオコロイド等を吸着除去することができる。従って、当該汚染水の処理方法は、放射性ストロンチウムを含む汚染水から放射性物質をより効率よく除去できる。
【００１２】
上記活性炭吸着処理工程後に上記ストロンチウム用吸着剤吸着処理工程を行うとよい。このように、ストロンチウム用吸着剤吸着処理工程の前に活性炭吸着処理工程を行うことによって、ストロンチウム用吸着剤を閉塞させ得る例えばラジオコロイド等の付着性物質を予め除去することができ、ストロンチウム用吸着剤の能力をより確実に引き出すことができる。
【００１３】
上記活性炭吸着処理工程及びストロンチウム用吸着剤吸着処理工程前に、汚染水をフィルターで浄化処理する工程をさらに備えるとよい。このように、活性炭吸着処理工程及びストロンチウム用吸着剤吸着処理工程前にフィルター浄化処理工程を備えることによって、活性炭及びストロンチウム用吸着剤の目詰まりを生じさせ得る浮遊物質を除去することができ、活性炭及びストロンチウム用吸着剤の能力をより引き出すことができる。
【００１４】
上記活性炭がやし殻活性炭であるとよい。このように、やし殻活性炭を使用することによって、比較的安価に優れた処理能力が得られる。
【００１５】
上記活性炭のＢＥＴ比表面積としては、９００ｍ２／ｇ以上が好ましい。このように、活性炭のＢＥＴ比表面積を上記下限以上とすることによって、効率よくラジオコロイド等を除去することができる。
【００１６】
汚染水中でストロンチウム用吸着剤によるストロンチウム吸着を阻害し得るラジオコロイドを形成する放射性物質の主成分はイットリウム（Ｙ−９０）であると考えられる。従って、上記汚染水が放射性イットリウムのラジオコロイドを含む場合には、当該汚染水の処理方法を適用することによる処理効率の向上が顕著となる。
【００１７】
上記ストロンチウム用吸着剤がゼオライトであるとよい。このように、ストロンチウム用吸着剤としてゼオライトを用いることによって、比較的安価で効率よくストロンチウムを除去できる。
【００１８】
また、上記課題を解決するためになされた別の発明は、放射性ストロンチウムを含む汚染水を浄化する汚染水処理装置であって、活性炭を充填した活性炭吸着塔と、ストロンチウム用吸着剤を充填したストロンチウム吸着塔とを備えることを特徴とする汚染水処理装置である。
【００１９】
当該汚染水処理装置は、ストロンチウム吸着塔において放射性ストロンチウムを除去すると共に、活性炭吸着塔でストロンチウム以外の放射性物質を除去することができる。このため、当該汚染水処理装置は、放射性ストロンチウムを含む汚染水から放射性物質をより効率よく除去できる。
【００２０】
上記活性炭吸着塔及びストロンチウム吸着塔を搭載する移動可能な架台をさらに備えるとよい。このように、活性炭吸着塔及びストロンチウム吸着塔を搭載する移動可能な架台を備えることによって、汚染水を貯留するタンクの近傍に当該汚染水処理装置を容易に移動することができ、配管経路における汚染水の漏れのリスクを低減できる。
【００２１】
複数の上記活性炭吸着塔を備え、上記複数の活性炭吸着塔が汚染水を流通可能に直列に接続され、最上流の活性炭吸着塔を除外及び交換後に交換後の新しい活性炭吸着塔を最下流に接続可能であるとよい。このように、複数の活性炭吸着塔を上流側から逐次交換しつつ直列に接続可能とすることで、汚染水の処理ダウンタイムを短縮することができる。
【００２２】
複数の上記ストロンチウム吸着塔を備え、上記複数のストロンチウム吸着塔が汚染水を流通可能に直列に接続され、最上流のストロンチウム吸着塔を除外及び交換後に交換後の新しいストロンチウム吸着塔を最下流に接続可能であるとよい。このように、複数のストロンチウム吸着塔を上流側から逐次交換しつつ直列に接続可能とすることで、汚染水の処理ダウンタイムを短縮することができる。
【００２３】
なお、「ＢＥＴ比表面積」とは、ＪＩＳ−Ｚ８８３０（２０１３）に準拠して測定される値である。また、「架台」とは、その上に吸着塔が配設される基台を意味し、高さの小さい板状又はフレーム状のものを含む。
【発明の効果】
【００２４】
上述のように、本発明の汚染水の処理方法及び汚染水処理装置は、放射性ストロンチウムを含む汚染水から放射性物質を効率よく除去できる。
【図面の簡単な説明】
【００２５】
【図１】本発明の一実施形態の汚染水処理装置の構成を示す模式図である。
【発明を実施するための形態】
【００２６】
以下、適宜図面を参照しつつ、本発明の実施の形態を詳説する。
【００２７】
［汚染水処理装置］
図１の汚染水処理装置は、放射性ストロンチウムを含む汚染水を処理するために使用される。当該汚染水処理装置は、２つのフィルターユニット１ａ，１ｂと、活性炭を充填した３つの活性炭吸着塔２ａ，２ｂ，２ｃと、ストロンチウム用吸着剤を充填した３つのストロンチウム吸着塔３ａ，３ｂ，３ｃと、これらのフィルターユニット１ａ，１ｂ、活性炭吸着塔２ａ，２ｂ，２ｃ及びストロンチウム吸着塔３ａ，３ｂ，３ｃを搭載する移動可能な架台４とを備える。
【００２８】
＜汚染水＞
当該汚染水処理装置は、放射性ストロンチウムに加えてラジオコロイドを含む汚染水、特に放射性イットリウムのラジオコロイドを含む汚染水の処理に好適に使用される。
【００２９】
＜フィルターユニット＞
フィルターユニット１ａ，１ｂは、活性炭吸着塔２ａ，２ｂ，２ｃ及びストロンチウム吸着塔３ａ，３ｂ，３ｃにおける吸着処理の前に、汚染水中の粒子状物質を濾し取るために配設される。このようなフィルターユニット１ａ，１ｂとしては、例えば平均開口径０．２μｍ程度のメンブレンフィルター等を用いるものが好適に使用される。
【００３０】
これらのフィルターユニット１ａ，１ｂは、フィルター入口三方弁５及びフィルター出口三方弁６によっていずれか１つに汚染水を流通可能なよう並列に接続される。
【００３１】
＜活性炭吸着塔＞
活性炭吸着塔２ａ，２ｂ，２ｃとしては、容器中に吸着剤が充填される公知の構成の吸着塔を用いることができ、吸着剤としては活性炭が使用される。
【００３２】
（活性炭）
活性炭吸着塔２ａ，２ｂ，２ｃに充填される活性炭としては、例えばやし殻、木材、おが屑等を原料とする木質系活性炭、石油、石炭等を原料とする鉱物系活性炭などが挙げられ、中でも安価で吸着力に優れるやし殻活性炭が好適に用いられる。
【００３３】
上記活性炭のＢＥＴ比表面積の下限としては、９００ｍ２／ｇが好ましく、１４００ｍ２／ｇがより好ましい。一方、上記活性炭のＢＥＴ比表面積の上限としては、２２００ｍ２／ｇが好ましく、２０００ｍ２／ｇがより好ましい。活性炭のＢＥＴ比表面積が上記下限に満たない場合、吸着能力が不足し、汚染物質を十分に除去できないおそれがある。逆に、活性炭のＢＥＴ比表面積が上記上限を超える場合、活性炭が不必要に高価となるおそれがある。
【００３４】
このような活性炭が充填される活性炭吸着塔２ａ，２ｂ，２ｃは、活性炭吸着入口三方弁７ａ，７ｂ，７ｃ及び活性炭吸着出口三方弁８ａ，８ｂ，８ｃを介して直列に接続され、順番に汚染水を流通することができるよう配設される。これらの活性炭吸着塔２ａ，２ｂ，２ｃは、活性炭吸着入口三方弁７ａ，７ｂ，７ｃ及び活性炭吸着出口三方弁８ａ，８ｂ，８ｃの操作により、最上流の１つを流路から除外して他の活性炭吸着塔に汚染水を流通しながら、流路から除外した活性炭吸着塔を新しいものと交換し、交換後の新しい活性炭吸着塔を流路の最下流に挿入することができるよう配管により接続される。
【００３５】
具体的に説明すると、各活性炭吸着入口三方弁７ａ，７ｂ，７ｃの１つのポートには、フィルターユニット１ａ，１ｂを通過した汚染水が供給される１次供給流路９が接続される。また、各活性炭吸着出口三方弁８ａ，８ｂ，８ｃの１つのポートは、２次供給流路１０を介してストロンチウム吸着塔３ａ，３ｂ，３ｃに接続される。一方、第１の活性炭吸着塔２ａの活性炭吸着出口三方弁８ａのもう１つのポートは、第１の活性炭中間流路１１ａを介して第２の活性炭吸着塔２ｂの活性炭吸着入口三方弁７ｂのもう１つのポートに接続される。また、第２の活性炭吸着塔２ｂの活性炭吸着出口三方弁８ｂのもう１つのポートは、第２の活性炭中間流路１１ｂを介して第３の活性炭吸着塔２ｃの活性炭吸着入口三方弁７ｃのもう１つのポートに接続される。また、第３の活性炭吸着塔２ｃの活性炭吸着出口三方弁８ｃのもう１つのポートは、第３の活性炭中間流路１１ｃを介して第１の活性炭吸着塔２ａの活性炭吸着入口三方弁７ａのもう１つのポートに接続される。
【００３６】
活性炭吸着塔２ａ，２ｂ，２ｃがこの順に直列に接続されている場合、各活性炭吸着塔２ａ，２ｂ，２ｃの内部の活性炭が汚染物質を吸着し、この活性炭が上流側から徐々に飽和する。最上流に接続されている活性炭吸着塔２ａの活性炭の吸着能力が完全に飽和したとき、下流側の活性炭吸着塔２ｂ，２ｃの活性炭は、飽和しておらず汚染物質の吸着能力に余力を残している。
【００３７】
そこで、最上流に接続されている活性炭吸着塔２ａの活性炭吸着入口三方弁７ａ及び活性炭吸着出口三方弁８ａを遮断し、２番目の活性炭吸着塔２ｂの活性炭吸着入口三方弁７ｂの１次供給流路９側のポートを開いて、汚染水が１番目以外の２つの活性炭吸着塔２ｂ，２ｃのみを通過するように流路構成を変更する。そして、この状態で、流路から除外されている飽和した活性炭吸着塔２ａを新しい吸着塔に交換する。そして、新しく取り付けた活性炭吸着塔２ａが最下流に追加されるようなバルブパターンを選択することにより、活性炭吸着塔２ａ，２ｂ，２ｃは、下流側程飽和度が低く、吸着能力の余力が大きくなるような順番で改めて接続される。
【００３８】
この後、最上流に接続されている活性炭吸着塔が飽和する度に、順次、最上流に接続されている活性炭吸着塔を流路から除外して新しい活性炭吸着塔を最下流に追加する。このようにして、当該汚染水処理装置は、汚染水の処理を継続しながら、活性炭吸着塔２ａ，２ｂ，２ｃのうちの１つを交換することができる。
【００３９】
＜ストロンチウム吸着塔＞
ストロンチウム吸着塔３ａ，３ｂ，３ｃとしては、容器中に吸着剤が充填される公知の構成の吸着塔を用いることができ、吸着剤としてはストロンチウムを吸着できる吸着剤、好ましくはストロンチウムを選択的に吸着できる吸着剤が使用される。
【００４０】
（ストロンチウム用吸着剤）
ストロンチウム吸着塔３ａ，３ｂ，３ｃに充填されるストロンチウムを選択的に吸着できる吸着剤としては、カルシウム及びマグネシウムの共存下でもストロンチウムに対して高い吸着性能を有する材料、例えばＡ型ゼオライト、Ｘ型ゼオライト等が挙げられる。
【００４１】
上記ストロンチウム用吸着剤が充填されるストロンチウム吸着塔３ａ，３ｂ，３ｃは、ストロンチウム吸着入口三方弁１２ａ，１２ｂ，１２ｃ及びストロンチウム吸着出口三方弁１３ａ，１３ｂ，１３ｃを介して直列に接続され、順番に汚染水を流通することができるよう配設される。これらのストロンチウム吸着塔３ａ，３ｂ，３ｃは、上記活性炭吸着塔２ａ，２ｂ，２ｃと同様に、ストロンチウム吸着入口三方弁１２ａ，１２ｂ，１２ｃ及びストロンチウム吸着出口三方弁１３ａ，１３ｂ，１３ｃの操作により、最上流の１つを流路から除外して残りのストロンチウム吸着塔に汚染水を流通しながら、除外したストロンチウム吸着塔を新しいものと交換し、交換後の新しいストロンチウム吸着塔を流路の最下流に接続することができるよう配管される。
【００４２】
具体的には、各ストロンチウム吸着入口三方弁１２ａ，１２ｂ，１２ｃの１つのポートには、活性炭吸着塔２ａ，２ｂ，２ｃを通過した汚染水が供給される２次供給流路１０が接続される。また、ストロンチウム吸着出口三方弁１３ａ，１３ｂ，１３ｃの１つのポートは、当該汚染水処理装置から処理済水を排出する排出流路１４に接続される。一方、第１のストロンチウム吸着塔３ａのストロンチウム吸着出口三方弁１３ａのもう１つのポートは、第１のストロンチウム中間流路１５ａを介して第２のストロンチウム吸着塔３ｂのストロンチウム吸着入口三方弁１２ｂのもう１つのポートに接続される。また、第２のストロンチウム吸着塔３ｂのストロンチウム吸着出口三方弁１３ｂのもう１つのポートは、第２のストロンチウム中間流路１５ｂを介して第３のストロンチウム吸着塔３ｃのストロンチウム吸着入口三方弁１２ｃのもう１つのポートに接続される。また、第３のストロンチウム吸着塔３ｃのストロンチウム吸着出口三方弁１３ｃのもう１つのポートは、第３のストロンチウム中間流路１５ｃを介して第１のストロンチウム吸着塔３ａのストロンチウム吸着入口三方弁１２ａのもう１つのポートに接続される。
【００４３】
ストロンチウム吸着塔３ａ，３ｂ，３ｃのいずれかの除外、交換及び再接続の具体的な手順については、活性炭吸着塔２ａ，２ｂ，２ｃのいずれかの除外、交換及び再接続の手順と同様であるため、詳細な説明は省略する。
【００４４】
＜架台＞
架台４は、車輪を有し移動可能に構成され、トラック等の自走可能な車輛であることが好ましいが、トラクターにより牽引可能なトレーラー又は人力で移動できる荷車であってもよい。
【００４５】
＜汚染水処理方法＞
本発明に係る放射性ストロンチウムを含む汚染水の処理方法は、図１の汚染水処理装置を使用して行うことができる。
【００４６】
当該汚染水処理装置への汚染水の供給は、例えば汚染水を貯留するタンク内に浸漬される水中ポンプ、汚染水を貯留するタンクから汚染水を吸引するポンプ、汚染水の水頭等を利用することができる。また、汚染水を吸引するポンプを使用する場合、ポンプを当該汚染水処理装置の架台４上に配設してもよい。
【００４７】
当該汚染水の処理方法は、汚染水をフィルターで浄化処理する工程と、フィルター浄化処理した汚染水を活性炭により吸着処理する工程と、活性炭吸着処理した汚染水をストロンチウム用吸着剤により吸着処理する工程とを備える。
【００４８】
（フィルター浄化処理工程）
上記フィルター浄化処理工程は、図１の汚染水処理装置のフィルターユニット１ａ，１ｂを用いて行うことができる。
【００４９】
このフィルター浄化処理工程を後述する活性炭吸着処理工程及びストロンチウム用吸着剤吸着処理工程の前に行うことにより、活性炭吸着塔２ａ，２ｂ，２ｃの活性炭及びストロンチウム吸着塔３ａ，３ｂ，３ｃのストロンチウム用吸着剤の吸着能力を引き出すことが可能となる。具体的には、活性炭吸着塔２ａ，２ｂ，２ｃの活性炭による放射性物質の吸着及びストロンチウム吸着塔３ａ，３ｂ，３ｃのストロンチウム用吸着剤を目詰まりさせて放射性ストロンチウムの吸着を阻害する粒子状物質等をフィルターユニット１ａ，１ｂによって予め除去することで、活性炭吸着塔２ａ，２ｂ，２ｃ及びストロンチウム吸着塔３ａ，３ｂ，３ｃの寿命を長くできる。
【００５０】
従って、このフィルター浄化処理工程により、活性炭吸着塔２ａ，２ｂ，２ｃ及びストロンチウム吸着塔３ａ，３ｂ，３ｃの粒子状物質による目詰まりに起因する放射性物質の除去率の低下を防止することや、放射性廃棄物として処理される使用済み活性炭及び使用済み放射性ストロンチウム用吸着剤の排出量を抑制することができる。
【００５１】
（活性炭吸着処理工程）
上記活性炭吸着処理工程は、図１の汚染水処理装置の活性炭吸着塔２ａ，２ｂ，２ｃを用いて行うことができる。
【００５２】
この活性炭吸着処理工程を後述するストロンチウム用吸着剤吸着処理工程の前に行うことにより、ストロンチウム吸着塔３ａ，３ｂ，３ｃのストロンチウム用吸着剤を目詰まりさせて放射性ストロンチウムの吸着を阻害する他の放射性物質等、特にラジオコロイドを除去することで、ストロンチウム吸着塔３ａ，３ｂ，３ｃのストロンチウム用吸着剤の吸着能力をさらに引き出すことが可能となる。具体的には、活性炭によってストロンチウム吸着塔３ａ，３ｂ，３ｃのストロンチウム用吸着剤による放射性ストロンチウムの吸着を阻害するラジオコロイド等を吸着除去することにより、ストロンチウム吸着塔３ａ，３ｂ，３ｃの寿命を長くできる。
【００５３】
なお、上記ラジオコロイドとしては、放射性ストロンチウムのβ崩壊により生成される放射性イットリウムのラジオコロイドが考えられる。本発明者らの分析により、事故原発等において長期間貯留されている放射性ストロンチウム含有汚染水中には、放射性イットリウムのラジオコロイドが生成され、この放射性イットリウムのラジオコロイドがストロンチウム用吸着剤による放射性ストロンチウムの吸着を阻害することが確認された。
【００５４】
さらに、本発明者らの研究では、活性炭を使用することによって、放射性イットリウムのラジオコロイドを効率よく吸着除去できることが確認された。
【００５５】
従って、この活性炭吸着処理工程により、ストロンチウム吸着塔３ａ，３ｂ，３ｃのラジオコロイド等による目詰まりに起因する放射性物質の除去率の低下を防止することや、放射性廃棄物として処理される使用済み放射性ストロンチウム用吸着剤の排出量を抑制することができる。
【００５６】
（ストロンチウム用吸着剤吸着処理工程）
上記ストロンチウム用吸着剤吸着処理工程は、図１の汚染水処理装置のストロンチウム吸着塔３ａ，３ｂ，３ｃを用いて行うことができる。
【００５７】
このストロンチウム用吸着剤吸着処理工程を上記活性炭吸着処理工程及び活性炭吸着処理工程の後に行うことによって、ストロンチウム用吸着剤による放射性ストロンチウムの吸着を効率よく行うことができる。
【００５８】
＜利点＞
当該汚染水処理装置及び当該汚染水の処理方法は、活性炭吸着塔２ａ，２ｂ，２ｃを用いて活性炭吸着処理を行うので、ストロンチウム吸着塔３ａ，３ｂ，３ｃに充填されるストロンチウム用吸着剤の吸着能力を引き出すことができる。このため、当該汚染水処理装置及び当該汚染水の処理方法は、従来の放射性ストロンチウム吸着処理に比べて、特にラジオコロイドを含む汚染水の放射性物質を効果的に除去することができる。
【００５９】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００６０】
当該汚染水処理装置において、活性炭が充填される活性炭吸着塔の上流側にストロンチウム用吸着剤が充填されるストロンチウム吸着塔が配置されてもよい。このように構成した場合、活性炭吸着処理によるストロンチウム用吸着剤の延命効果は得られないが、ストロンチウム吸着塔のストロンチウム用吸着剤によって吸着除去できないラジオコロイドを活性炭吸着塔の活性炭により吸着除去することで、汚染水の放射性物質含有率をさらに低下させることができる。従って、当該汚染水の処理方法において、ストロンチウム用吸着剤吸着処理工程を活性炭吸着処理工程より先に行ってもよい。
【００６１】
また、当該汚染水処理装置において、フィルターユニットは必須ではない。つまり、当該汚染水の処理方法では、フィルター浄化処理工程を省略することができる。また、フィルターユニットの数及び接続方法も自由に変更できる。例として、３以上のフィルターユニットを上記実施形態の活性炭吸着塔及びストロンチウム吸着塔と同様に直列に接続、かつ最上流の活性炭吸着塔を除外及び交換後に交換後の新しいフィルターユニットを最下流に接続可能としてもよい。
【００６２】
また、当該汚染水処理装置において、活性炭吸着塔及びストロンチウム吸着塔の数は自由に変更でき、活性炭吸着塔及びストロンチウム吸着塔がそれぞれ１つずつ設けられてもよい。また、活性炭吸着塔及びストロンチウム吸着塔の接続も上記実施形態に限定されず、複数の活性炭吸着塔及びストロンチウム吸着塔をそれぞれ並列に接続してもよい。
【００６３】
また、当該汚染水処理装置において、架台は必須ではない。また、当該汚染水処理装置において、フィルターユニット、活性炭吸着塔及びストロンチウム吸着塔の一部だけが架台に搭載されてもよく、一部又はそれぞれが異なる架台に搭載されてもよい。また、当該汚染水処理装置において、フィルターユニット、活性炭吸着塔及びストロンチウム吸着塔は、ユニック車やフォークリフト等を用いて移動可能な車輪を有しない架台の上に搭載されてもよい。
【実施例】
【００６４】
以下、実施例に基づき本発明を詳述するが、この実施例の記載に基づいて本発明が限定的に解釈されるものではない。
【００６５】
本発明の効果を確認するために、放射性物質を含む汚染水を吸着剤として各種活性炭又はゼオライトを用いて吸着処理する実験１〜８を行った。
【００６６】
（汚染水）
汚染水としては、ストロンチウム９０が１９，４００Ｂｑ／ｍＬの濃度で含まれ、イットリウム９０が２０，５００Ｂｑ／ｍＬの濃度で含まれ、かつこのイットリウム９０がラジオコロイドを形成していると思われる放射性汚染水を用いた。
【００６７】
（吸着剤）
吸着剤としては、実験１ではやし殻活性炭１、実験２ではやし殻活性炭２、実験３ではやし殻活性炭３、実験４ではやし殻活性炭４、実験５ではやし殻活性炭５、実験６では石炭活性炭１、実験７では石炭活性炭２、実験８ではゼオライトをそれぞれ使用した。また、予め、これらの吸着剤のＢＥＴ比表面積及び細孔容積を測定した。
【００６８】
（ＢＥＴ比表面積）
ＢＥＴ比表面積は、ＪＩＳ−Ｚ８８３０（２０１３）に準拠して測定した。
【００６９】
（細孔容積）
細孔容積は、ＪＩＳ−Ｚ８８３１−３（２０１０）に準拠して測定した。
【００７０】
（実験方法）
具体的な実験方法には、吸着剤を充填した内径９ｍｍ、高さ１５０ｍｍのカラムに、流量２ｍＬ／ｍｉｎ、空間速度１２ｈ−１の条件で放射性汚染水を流通させ、出口から回収した処理水中のストロンチウム９０及びイットリウム９０の濃度を測定し、それぞれの除去率を算出した。
【００７１】
この実験１〜８の吸着剤の上記測定結果及び汚染水吸着処理実験の結果について、まとめて表１に示す。なお表中の「−」は測定していないことを意味する。
【００７２】
【表１】
0006354990.tif 000002
【００７３】
このように、実験１〜７の活性炭を用いた場合にはイットリウムを効果的に除去することができたが、実験８のゼオライトを用いた場合には、イットリウムを効果的に除去することができなかった。また、これらの実験により、ＢＥＴ比表面積が大きいほどイットリウム除去率が高くなる傾向があることが確認された。特に、これらの試験結果からは、ＢＥＴ比表面積が９００ｍ２／ｇ以上であれば比較的高いイットリウム除去率が得られ、さらにＢＥＴ比表面積が１４００ｍ２／ｇ以上であれば十分なイットリウム除去率が得られると予想される。一方、細孔容積とイットリウム除去率との間に明確な相関関係は確認することができなかった。
【００７４】
また、実験１〜７の吸着剤は一般にストロンチウム吸着能力を有すると認められているものであるが、実験１〜７では、いずれもストロンチウムを殆ど除去することができなかった。これは、イットリウムのラジオコロイドが吸着剤の表面を覆い、ストロンチウムの吸着を阻害することによると考えられる。従って、活性炭吸着処理の後にストロンチウム吸着剤吸着処理を行うことにより、ストロンチウムを効果的に吸着除去できると考えられる。
【００７５】
なお、ストロンチウムの除去率については、実験に使用した汚染水はイットリウムの濃度が高いものであるため、汚染水中のイットリウムの濃度が低い場合には、異なる結果となると予想される。つまり、ストロンチウム吸着剤吸着処理の後に、残留するイットリウム等の放射性物質を活性炭吸着処理によって吸着除去することが有効となる場合もあると考えられる。
【産業上の利用可能性】
【００７６】
本発明の汚染水の処理方法及び汚染水処理装置は、放射性ストロンチウムを含む汚染水に広く利用できるが、特に、放射性イットリウムのラジオコロイドを含み得る汚染水の処理に好適に利用される。
【符号の説明】
【００７７】
１ａ，１ｂ  フィルターユニット
２ａ，２ｂ，２ｃ  活性炭吸着塔
３ａ，３ｂ，３ｃ  ストロンチウム吸着塔
４  架台
５  フィルター入口三方弁
６  フィルター出口三方弁
７ａ，７ｂ，７ｃ  活性炭吸着入口三方弁
８ａ，８ｂ，８ｃ  活性炭吸着出口三方弁
９  １次供給流路
１０  ２次供給流路
１１ａ，１１ｂ，１１ｃ  活性炭中間流路
１２ａ，１２ｂ，１２ｃ  ストロンチウム吸着入口三方弁
１３ａ，１３ｂ，１３ｃ  ストロンチウム吸着出口三方弁
１４  排出流路
１５ａ，１５ｂ，１５ｃ  ストロンチウム中間流路
【図１】
0006354990.tif 000003